(57)【要約】【課題】ライトガイドファイババンドルの射出端面を先端部本体の先端面と共に研磨しても、先端部本体の外縁に形成されたアール面取りが削り取られることなく維持されて、体内への挿入時に生体粘膜等を傷つけるおそれのない内視鏡の先端部を提供すること。【解決手段】先端部本体２の先端面２ａのアール面取り２ｒが形成された外縁部分を含まない領域に、前方に突出する研磨代２０が予め形成されて、先端部本体２の研磨代２０がライトガイドファイババンドル１５の射出端面１５ａと共に研磨されている。【選択図】      図１
2008212332.tif 000002
【特許請求の範囲】
【請求項１】
先端面の外縁がアール面取りされて挿入部の最先端に配置された先端部本体の上記先端面に、照明用のライトガイドファイババンドルの射出端面が露出配置されて、上記ライトガイドファイババンドルの射出端面が上記先端部本体の先端面と共に研磨された構造の内視鏡の先端部において、
上記先端部本体の先端面の上記アール面取りが形成された外縁部分を含まない領域に、前方に突出する研磨代が予め形成されて、上記先端部本体の研磨代が上記ライトガイドファイババンドルの射出端面と共に研磨されていることを特徴とする内視鏡の先端部。
【発明の詳細な説明】
【技術分野】
【０００１】
この発明は内視鏡の先端部に関する。
【背景技術】
【０００２】
内視鏡の照明用に用いられるライトガイドファイババンドルは、照明光量のロスをできるだけ小さくするために、射出端面を研磨仕上げする必要があり、一般の内視鏡では、ライトガイドファイババンドルユニットを製造する段階で射出端面を研磨仕上げしてある。
【０００３】
しかし、小児等の内視鏡検査を行うために直径が３ｍｍに満たないような極細径内視鏡等においては、スペース上及び強度上等の理由から、挿入部の最先端に配置される先端部本体をライトガイドの口金代わりにして、先端部本体に固着されたライトガイドファイババンドルの射出端面を先端部本体の先端面と共に研磨する構造を採らざるを得ない（例えば、特許文献１、２）。極細径以外の内視鏡でも、そのような構造を採用したものがある。
【特許文献１】特開平７−２７５１９４
【特許文献２】特開２００４−１５９７７３
【発明の開示】
【発明が解決しようとする課題】
【０００４】
体内に挿入される内視鏡の挿入部は、挿入時に生体粘膜等を傷つけないように、先端部本体の先端面の外縁を滑らかにアール面取りした形状に形成する必要がある。図７はそのような先端部本体外筒９１を示しており、先端面の外縁に全周にわたって滑らかなアール面取り９１ｒが形成されている。
【０００５】
しかし、図８に示されるように、先端部本体外筒９１に固着されたライトガイドファイババンドル９２の射出端面９２ａを先端部本体外筒９１の先端面９１ａと共に研磨すると、先端部本体外筒９１の先端面９１ａがライトガイドファイババンドル９２の射出端面９２ａと共に削られるので、外縁のアール面取り９１ｒ部分も削り取られてそこにエッジ１００ができ、生体粘膜等を傷つけてしまうおそれがある。
【０００６】
本発明は、ライトガイドファイババンドルの射出端面を先端部本体の先端面と共に研磨しても、先端部本体の外縁に形成されたアール面取りが削り取られることなく維持されて、体内への挿入時に生体粘膜等を傷つけるおそれのない内視鏡の先端部を提供することを目的とする。
【課題を解決するための手段】
【０００７】
上記の目的を達成するため、本発明の内視鏡の先端部は、先端面の外縁がアール面取りされて挿入部の最先端に配置された先端部本体の先端面に、照明用のライトガイドファイババンドルの射出端面が露出配置されて、ライトガイドファイババンドルの射出端面が先端部本体の先端面と共に研磨された構造の内視鏡の先端部において、先端部本体の先端面のアール面取りが形成された外縁部分を含まない領域に、前方に突出する研磨代が予め形成されて、先端部本体の研磨代がライトガイドファイババンドルの射出端面と共に研磨されているものである。
【発明の効果】
【０００８】
本発明によれば、先端部本体の先端面のアール面取りが形成された外縁部分を含まない領域に、前方に突出する研磨代が予め形成されて、その研磨代がライトガイドファイババンドルの射出端面と共に研磨されているので、先端部本体の外縁に形成されたアール面取りが削り取られることなく維持されて、体内への挿入時に生体粘膜等を傷つけるおそれがない。
【発明を実施するための最良の形態】
【０００９】
先端面の外縁がアール面取りされて挿入部の最先端に配置された先端部本体の先端面に、照明用のライトガイドファイババンドルの射出端面が露出配置されて、ライトガイドファイババンドルの射出端面が先端部本体の先端面と共に研磨された構造の内視鏡の先端部において、先端部本体の先端面のアール面取りが形成された外縁部分を含まない領域に、前方に突出する研磨代が予め形成されて、先端部本体の研磨代がライトガイドファイババンドルの射出端面と共に研磨されている。
【実施例】
【００１０】
以下、図面を参照して本発明の実施例を説明する。
図２は極細径電子内視鏡の先端部の平面断面図、図３は正面図である。体内に挿入される挿入部１は、先端付近の直径の最大径が３ｍｍ未満に形成されている。
【００１１】
挿入部１の最先端には、例えばステンレス鋼材等の金属で形成された略円筒状の先端部本体外筒２が連結され、挿入部１を外装する外皮チューブ３の先端部分が、後方から先端部本体外筒２の外周の中間部分に被せられて緊縛固定されている。先端部本体外筒２の先端面２ａの外縁には、全周にわたって滑らかなアール面取り２ｒが形成されている。
【００１２】
先端部本体外筒２の軸線位置には、複数のレンズからなる対物光学系４を保持する金属製の対物レンズ保持筒６が配置されて、その対物レンズ保持筒６の先端に観察窓７が設けられている。対物レンズ保持筒６の先端面は観察窓７より内方に引っ込んでいてその窪み部分に電気絶縁性の接着剤１２が充填されている。
【００１３】
対物レンズ保持筒６は、後端付近の外周部を除いて円筒形状に形成されており、その円筒状部分の外周に、硬質の電気絶縁性材料からなる円筒形状の絶縁筒８が被嵌されている。絶縁筒８の先端は対物レンズ保持筒６の先端より若干前方に突出して、先端部本体外筒２の先端面２ａや観察窓７と略同面になっている。
【００１４】
９は、対物光学系４により投影される内視鏡観察像を撮像するための固体撮像素子５とその駆動回路等を保持する金属製の撮像素子保持筒であり、ノイズ防止のためのシールドの機能も有している。
【００１５】
撮像素子保持筒９は、固体撮像素子５の形状に合わせて断面形状が縦長の略長方形状に形成され、その先端部分が対物レンズ保持筒６の後端外周部に嵌合されて対物レンズ保持筒６と一体に連結固着されている。
【００１６】
１０は、撮像素子保持筒９の外周に巻き付けられた電気絶縁性の絶縁テープ、１１は、固体撮像素子５で撮像された内視鏡観察像の撮像信号等を伝送するために先端部本体外筒２の後端から挿入部１内に挿通されている信号ケーブルである。
【００１７】
先端部本体外筒２の最先端部分の内側には金属製の先端部本体内筒１４が配置されて、その先端部本体内筒１４の軸線位置に形成された貫通孔に絶縁筒８が嵌挿保持され、それらが接着されて一体的な状態になっている。
【００１８】
１５は、撮像素子保持筒９等の外周部と先端部本体外筒２の内周部との間に形成された空間に充填配置された照明用のライトガイドファイババンドルである。ライトガイドファイババンドル１５には、単体で図示する図４に示されるように、先端部本体外筒２内の空間に充填されてその空間形状に接着剤で固められた硬質成形部１５Ａと、柔軟な保護チューブ１３により被覆された状態で挿入部１内に挿通配置された柔軟部１５Ｂと、その硬質成形部１５Ａと柔軟部１５Ｂとの間の移行部１５Ｃの三つの領域が形成されている。
【００１９】
硬質成形部１５Ａの断面形状は、縦長の断面形状を有する固体撮像素子５の左右両側の空間に配置するために、全体が先端部本体外筒２の内周面に沿う外縁側の円弧と撮像素子保持筒９の外面に沿う内縁側の弦とで囲まれた形状に形成され、射出端面１５ａもその形状になっている。
【００２０】
図３及び図５に示されるように、先端部本体内筒１４の外縁はライトガイドファイババンドル１５の射出端面１５ａの弦の形状に合わせて削ぎ落とされており、ライトガイドファイババンドル１５の射出端部が先端部本体外筒２と先端部本体内筒１４との間の空間内に充填された状態に挿通されてそこに接合連結されている。図５は、先端部本体外筒２と先端部本体内筒１４のみの分解斜視図である。
【００２１】
ライトガイドファイババンドル１５の射出端面１５ａの研磨は、硬質成形部１５Ａが先端部本体外筒２と先端部本体内筒１４との間に差し込まれて接合固定された状態であって、対物レンズ保持筒６等が取り付けられていない状態で行われる。
【００２２】
したがって、先端部本体外筒２の先端面２ａと先端部本体内筒１４の先端面１４ａは、ライトガイドファイババンドル１５の射出端面１５ａの研磨の際に射出端面１５ａと共に削られている。
【００２３】
そこで、本発明においては、図６に示されるように、先端部本体外筒２の先端面２ａのアール面取り２ｒが形成されている外縁部分を含まない領域に、前方に突出する研磨代２０が全周にわたって予め形成されている。ｔは研磨代２０の突出長である。先端部本体内筒１４も、同様にして、軸線方向の長さを研磨代２０の長さｔ分だけ長く形成してある。
【００２４】
図１は、そのように形成された先端部本体外筒２と先端部本体内筒１４にライトガイドファイババンドル１５の射出端部が接合連結されて射出端面１５ａが研磨される直前の状態を示しており、ライトガイドファイババンドル１５の射出端面１５ａが先端部本体外筒２（及び先端部本体内筒１４）の研磨代２０の先端面とほぼ揃えられた状態で切断されている。
【００２５】
そして、図１に示される状態から、先端部本体外筒２（及び先端部本体内筒１４）の研磨代２０と共にライトガイドファイババンドル１５の射出端面１５ａが研磨代２０の長さｔ（又はそれ以下の長さ）だけ研磨される。
【００２６】
それによって、図２に示されるように、ライトガイドファイババンドル１５の射出端面１５ａが先端部本体外筒２及び先端部本体内筒１４の先端面２ａ，４ａと同面位置で鏡面状態に仕上げられ、先端部本体外筒２の先端面２ａの外周に形成されているアール面取り２ｒ部分は全く削り取られずに当初の滑らかな形状のまま残る。したがって、体内挿入の際に生体粘膜等を傷つけるおそれがない。
【００２７】
なお、本発明は上記実施例に限定されるものではなく、本発明は例えば挿入部の外径寸法が３ｍｍ以上の内視鏡にもそのまま適用することができ、また、内視鏡観察像をイメージガイドファイババンドルで伝送するようにした光学式の内視鏡に適用することもできる。
【図面の簡単な説明】
【００２８】
【図１】本発明の実施例のライトガイドファイババンドルの射出端面が研磨される直前の部組品の平面断面図である。
【図２】本発明の実施例の極細径電子内視鏡の先端部の平面断面図である。
【図３】本発明の実施例の極細径電子内視鏡の先端部の正面図である。
【図４】本発明の実施例のライトガイドファイババンドル単体の斜視図である。
【図５】本発明の実施例の先端部本体外筒と先端部本体内筒の分解斜視図である。
【図６】本発明の実施例の先端部本体外筒単体の平面断面図である。
【図７】従来の先端部本体外筒単体の平面断面図である。
【図８】従来のライトガイドファイババンドルの射出端面が研磨された直後の部組品の平面断面図である。
【符号の説明】
【００２９】
１  挿入部
２  先端部本体外筒（先端部本体）
２ａ  先端面
２ｒ  アール面取り
１４  先端部本体内筒
１４ａ  先端面
１５  ライトガイドファイババンドル
１５ａ  射出端面
２０  研磨代
ｔ  研磨代の長さ
【図１】
2008212332.tif 000003
【図２】
2008212332.tif 000004
【図３】
2008212332.tif 000005
【図４】
2008212332.tif 000006
【図５】
2008212332.tif 000007
【図６】
2008212332.tif 000008
【図７】
2008212332.tif 000009
【図８】
2008212332.tif 000010